(57)【要約】【課題】眼鏡の蔓部が折りたたまれた場合であっても出射装置の収納性に優れた画像表示装置及び網膜走査型画像表示装置を提供する。【解決手段】網膜走査型ディスプレイは、眼鏡の蔓部内側に設けられ、画像信号に応じて画像光をユーザの眼に向かって出射する出射装置を備えている。網膜走査型ディスプレイは、その出射装置には、蔓部に沿って前後方向にスライド可能なスライド機構が設けられている。網膜走査型ディスプレイは、出射装置が蔓部における前方位置に配置されているときに、画像光をユーザの眼に向かって出射する画像表示状態となり、出射装置が蔓部における後方位置に配置されているときに、蔓部とともに回転され、折りたたみ可能とした蔓部収納可能状態となる。【選択図】図２
2009246891.tif 000002
【特許請求の範囲】
【請求項１】
眼鏡の蔓部内側に設けられ、画像信号に応じて画像光をユーザの眼に向かって出射する出射装置を備えた画像表示装置において、
前記出射装置には、前記蔓部に沿って前後方向にスライド可能なスライド機構が設けられ、
前記出射装置が前記蔓部における前方位置に配置されているときに、画像光をユーザの眼に向かって出射する画像表示状態となり、前記出射装置が前記蔓部における後方位置に配置されているときに、前記蔓部とともに回転され、折りたたみ可能とした蔓部収納可能状態となることを特徴とする画像表示装置。
【請求項２】
前記蔓部における前記前方位置は、前記蔓部における前記後方位置よりも剛性が高いことを特徴とする請求項１に記載の画像表示装置。
【請求項３】
前記出射装置には、眼鏡の蔓部内側に向かって突形状の突起部が形成されており、
前記出射装置は、前記蔓部を折りたたむ場合に前記突起部が眼鏡のレンズに衝突しない後方位置に配置されているときに、前記蔓部収納可能状態となることを特徴とする画像表示装置。
【請求項４】
前記出射装置をスライド可能とするスライド部が眼鏡の前記蔓部に形成されていることを特徴とする請求項１から３のいずれかに記載の画像表示装置。
【請求項５】
前記出射装置が前記後方位置までスライドされていない場合に前記蔓部の折りたたみを不可能とし、前記出射装置が前記後方位置までスライドされている場合に前記蔓部の折りたたみを可能とするストッパが前記出射装置に設けられたことを特徴とする請求項１から４のいずれかに記載の画像表示装置。
【請求項６】
前記ストッパは、前記出射装置が前記蔓部に装着された場合に前記蔓部に沿った位置に配置されることを特徴とする請求項５に記載の画像表示装置。
【請求項７】
前記出射装置には、前記スライド機構とは別に、前記蔓部において前後方向にスライド可能な位置微調整機構が設けられたことを特徴とする請求項１から６のいずれかに記載の画像表示装置。
【請求項８】
前記出射装置から出射された画像光をユーザの眼に向かって反射させる反射部が前記出射部とは別体で眼鏡のレンズに固定されることを特徴とする請求項１から７のいずれかに記載の画像表示装置。
【請求項９】
前記出射装置が前記前方位置までスライドされた場合には、前記出射装置の電源をオンとし、前記後方位置までスライドされた場合には、前記出射装置の電源をオフとする制御を行うことを特徴とする請求項１から８のいずれかに記載の画像表示装置。
【請求項１０】
前記出射装置のスライドに連動して前記蔓部を折りたたむ連動機構を備えたことを特徴とする請求項１から９のいずれかに記載の画像表示装置。
【請求項１１】
請求項１から１０のいずれかに記載の画像表示装置を備え、画像信号に応じて変調された画像光を走査させて出射させることで、ユーザの少なくとも一方の眼の網膜に画像を投影し、画像を表示することを特徴とする網膜走査型画像表示装置。
【発明の詳細な説明】
【技術分野】
【０００１】
本発明は、画像表示装置及び網膜走査型画像表示装置に関するものであり、特に、眼鏡の蔓部内側に設けられ、画像信号に応じて画像光をユーザの眼に向かって出射する出射装置を備えた画像表示装置及び網膜走査型画像表示装置に関する。
【背景技術】
【０００２】
従来、画像を表示するための画像表示装置には、画像に関する画像信号に応じて出射される画像光や、外界からの外光などによって、画像を表示させるとともに、外界の様子を視認可能とする装置がある。
【０００３】
このような画像表示装置においては、例えば、特許文献１に示すように、出射された画像光が、反射鏡によって反射され、レンズ、眼鏡レンズを介して、ユーザの眼に導かれる装置が開示されている。また、この鏡によって反射された画像光は、レンズ、眼鏡レンズに導かれるが、外界の外光がこのレンズを介することなく、眼鏡レンズを介して、ユーザの眼に導かれることとなる。
【０００４】
また、このような特許文献１に示す画像表示装置においては、鏡などのサイズを大型化しなければならないため、画像に関する画像信号に応じて画像光を出射する出射装置と、その画像光を反射させるとともに外界からの外光を透過させてユーザの眼に導く反射鏡とを備えた画像表示装置があり、画像光に基づく画像や外光に基づく画像（外界の様子）が同じ領域上で視認可能となる。
【０００５】
また、このような特許文献１に示す画像表示装置においては、眼鏡の側方に位置するフレームの蔓部に出射装置が外側から固定されており、この出射装置を眼鏡から取り外し、折りたたむことで小型化が図られている。また、特許文献２に示すように、フレームの蔓部に出射装置が内側から固定される画像表示装置も開示されている。
【特許文献１】特表２００１−５２２０６４号公報
【特許文献２】特平開１１−２４９０６８号公報
【発明の開示】
【発明が解決しようとする課題】
【０００６】
しかしながら、上述したような画像表示装置では、出射装置が眼鏡の内側に固定されている場合には、その眼鏡を折りたたむ際に、出射装置が邪魔となり、出射装置を眼鏡の蔓部から外さなければならず、眼鏡と出射装置とを別々に保管しなければならず煩雑であった。また、出射装置が眼鏡の外側に固定されている場合において、そのまま装着したまま眼鏡を折りたたんだときには、眼鏡の外側に位置することとなり、眼鏡から出っ張って出射装置が配置され、更には、眼鏡のサイズの大型化を招き、保管が煩雑であった。
【０００７】
本発明は、上述したような課題に鑑みてなされたものであり、眼鏡の蔓部が折りたたまれた場合であっても出射装置の収納性に優れた画像表示装置及び網膜走査型画像表示装置を提供することを目的とする。
【課題を解決するための手段】
【０００８】
以上のような目的を達成するために、本発明は、以下のようなものを提供する。
【０００９】
すなわち、請求項１記載の本発明では、眼鏡の蔓部内側に設けられ、画像信号に応じて画像光をユーザの眼に向かって出射する出射装置を備えた画像表示装置において、前記出射装置には、前記蔓部に沿って前後方向にスライド可能なスライド機構が設けられ、前記出射装置が前記蔓部における前方位置に配置されているときに、画像光をユーザの眼に向かって出射する画像表示状態となり、前記出射装置が前記蔓部における後方位置に配置されているときに、前記蔓部とともに回転され、折りたたみ可能とした蔓部収納可能状態となることを特徴とするものである。
【００１０】
また、請求項２記載の本発明では、請求項１に記載の発明において、前記蔓部における前記前方位置は、前記蔓部における前記後方位置よりも剛性が高いことを特徴とするものである。
【００１１】
また、請求項３記載の本発明では、請求項１又は２に記載の発明において、前記出射装置には、眼鏡の蔓部内側に向かって突形状の突起部が形成されており、前記出射装置は、前記蔓部を折りたたむ場合に前記突起部が眼鏡のレンズに衝突しない後方位置に配置されているときに、前記蔓部収納可能状態となることを特徴とするものである。
【００１２】
また、請求項４記載の本発明では、請求項１から３のいずれかに記載の発明において、前記出射装置をスライド可能とするスライド部が眼鏡の前記蔓部に形成されていることを特徴とするものである。
【００１３】
また、請求項５記載の本発明では、請求項１から４のいずれかに記載の発明において、前記出射装置が前記後方位置までスライドされていない場合に前記蔓部の折りたたみを不可能とし、前記出射装置が前記後方位置までスライドされている場合に前記蔓部の折りたたみを可能とするストッパが前記出射装置に設けられたことを特徴とするものである。
【００１４】
また、請求項６記載の本発明では、請求項５に記載の発明において、前記ストッパは、前記出射装置が前記蔓部に装着された場合に前記蔓部に沿った位置に配置されることを特徴とするものである。
【００１５】
また、請求項７記載の本発明では、請求項１から６のいずれかに記載の発明において、前記出射装置には、前記スライド機構とは別に、前記蔓部において前後方向にスライド可能な位置微調整機構が設けられたことを特徴とする
ものである。
【００１６】
また、請求項８記載の本発明では、請求項１から７のいずれかに記載の発明において、前記出射装置から出射された画像光をユーザの眼に向かって反射させる反射部が前記出射部とは別体で眼鏡のレンズに固定されることを特徴とするものである。
【００１７】
また、請求項９記載の本発明では、請求項１から８のいずれかに記載の発明において、前記出射装置が前記前方位置までスライドされた場合には、前記出射装置の電源をオンとし、前記後方位置までスライドされた場合には、前記出射装置の電源をオフとする制御を行うことを特徴とするものである。
【００１８】
また、請求項１０記載の本発明では、請求項１から９のいずれかに記載の発明において、前記出射装置のスライドに連動して前記蔓部を折りたたむ連動機構を備えたことを特徴とするものである。
【００１９】
また、請求項１１記載の本発明では、請求項１から１０のいずれかに記載の画像表示装置を備え、画像信号に応じて変調された画像光を走査させて出射させることで、ユーザの少なくとも一方の眼の網膜に画像を投影し、画像を表示することを特徴とするものである。
【発明の効果】
【００２０】
請求項１、４又は１１に記載の発明によれば、出射装置には、蔓部に沿って前後方向にスライド可能なスライド機構が設けられている。また、出射装置が蔓部における前方位置に配置されているときに、画像光をユーザの眼に向かって出射する画像表示状態となり、出射装置が蔓部の後方位置に配置されているときに、蔓部とともに回転され、折りたたみ可能とした蔓部収納可能状態となる。従って、眼鏡の蔓部を折りたたむ場合に、出射装置が、その蔓部とともに回転され、蔓部とレンズとの間に収納されることとなり、眼鏡から取り外す必要もなく、更には、眼鏡の外側に出っ張ることがなく、眼鏡の蔓部が折りたたまれた場合であっても出射装置の収納性に優れており、簡便である。
【００２１】
また、請求項２に記載の発明によれば、蔓部における前方位置は、蔓部における後方位置よりも剛性が高い。従って、出射装置を使用している場合において、振動等に強く、出射装置の固定を容易に行うことができる。
【００２２】
また、請求項３に記載の発明によれば、出射装置には、眼鏡の蔓部内側に向かって突形状の突起部が形成されており、出射装置は、蔓部を折りたたむ場合に突起部が眼鏡のレンズに衝突しない後方位置に配置されているときに、蔓部収納可能状態となる。従って、突起部がある場合でも、その突起部がレンズに衝突することがないため、レンズや出射装置を傷つけるおそれもなく、更には、蔓部を容易に折りたたむことができる。
【００２３】
また、請求項５に記載の発明によれば、出射装置が後方位置までスライドされていない場合に蔓部の折りたたみを不可能とし、出射装置が後方位置までスライドされている場合に蔓部の折りたたみを可能とするストッパが出射装置に設けられた。従って、出射装置を後方位置までスライドさせずに眼鏡の折りたたみを行うことができず、誤操作を防止することができる。
【００２４】
また、請求項６に記載の発明によれば、ストッパは、出射装置が蔓部に装着された場合に蔓部に沿った位置に配置される。従って、蔓部の撓みを防止することができる。
【００２５】
また、請求項７に記載の発明によれば、出射装置には、スライド機構とは別に、蔓部において前後方向にスライド可能な位置微調整機構が設けられた。従って、微調整が可能となり、簡便であり、精度の高い出射装置の配置が可能となる。
【００２６】
また、請求項８に記載の発明によれば、出射装置から出射された画像光をユーザの眼に向かって反射させる反射部が出射部とは別体で眼鏡のレンズに固定される。従って、反射部を配置することによって、ユーザの眼までの光路を十分に取ることができる。
【００２７】
また、請求項９に記載の発明によれば、出射装置が前方位置までスライドされた場合には出射装置の電源をオンとし、後方位置までスライドされた場合には出射装置の電源をオフとする制御を行う。従って、電源のオン操作、オフ操作を別に行わなくても、出射装置の位置によって電源がオン、オフされることとなり、簡便である。また、出射装置が後方位置にある場合は使用できる状態ではないため、消費電力も低減させることができる。
【００２８】
また、請求項１０に記載の発明によれば、出射装置のスライドに連動して蔓部を折りたたむ連動機構を備えているため、出射装置のスライド操作が行われると、自動的に蔓部が折りたたまれ簡便である。
【発明を実施するための最良の形態】
【００２９】
以下に、本発明に好適な実施形態について図面に基づいて説明する。
【００３０】
［画像表示装置の電気的構成］
本実施形態における網膜走査型ディスプレイ１の電気的構成などについて図１を用いて説明する。
【００３１】
図１に示すように、網膜走査型ディスプレイ１には、外部から供給される映像信号を処理するための光源ユニット部２が設けられている。光源ユニット部２には、外部からの映像信号が入力され、それに基づいて映像を合成するための要素となる各信号を発生する映像信号供給回路３が設けられ、この映像信号供給回路３から映像信号４、水平同期信号５、及び、垂直同期信号６が出力される。また、光源ユニット部２には、映像信号供給回路３から映像信号４として伝達される赤（Ｒ），緑（Ｇ），青（Ｂ）の各映像信号をもとにそれぞれ強度変調されたレーザ光を出射するように、Ｒレーザ１３，Ｇレーザ１２，Ｂレーザ１１を、それぞれ駆動するためのＲレーザドライバ１０，Ｇレーザドライバ９，Ｂレーザドライバ８が設けられている。これらのようなＲレーザ１３，Ｇレーザ１２，Ｂレーザ１１は、画像に関する画像信号に応じて変調された光を発する光源部の一例に相当する。さらに、各レーザより出射されたレーザ光を平行光にコリメートするように設けられたコリメート光学系１４と、それぞれコリメートされたレーザ光を合波するダイクロイックミラー１５と、合波されたレーザ光を光ファイバ１７に導く結合光学系１６とが設けられている。尚、Ｒレーザ１３，Ｇレーザ１２，Ｂレーザ１１として、レーザダイオード等の半導体レーザや固体レーザを利用してもよい。尚、本実施形態における光源ユニット部２は、少なくとも１つの光源と、当該光源から出射される光束を画像信号に応じて強度変調する変調手段の一例に相当する。
【００３２】
また、網膜走査型ディスプレイ１には、光源ユニット部２から伝搬されたレーザ光を水平走査系１９に導くコリメート光学系１８と、コリメートされたレーザ光を、ガルバノミラー１９ａを利用して水平方向に走査する水平走査系１９と、水平走査系１９によって走査されたレーザ光を垂直走査系２１に導く第１リレー光学系２０と、水平走査系１９に走査され、第１リレー光学系２０を介して入射されたレーザ光を、ガルバノミラー２１ａを利用して垂直方向に走査する垂直走査系２１と、垂直走査系２１に走査されたレーザ光をユーザの瞳孔２４に入射し易くするための回折格子１００と、垂直走査系２１に走査されたレーザ光をユーザの瞳孔２４に入射するように第２リレー光学系２２とが設けられている。また、本実施形態においては、詳しく後述する回折格子１００は、レーザ光を分散させる光学分散性能を有する。尚、この光学分散性能とは、入射したレーザ光を、一本から複数本に分割又は分散（散乱）させる性能であり、本実施形態においては、回折格子１００の格子ピッチや周期配列方向によって決定される。
【００３３】
尚、具体的な一例としては、水平走査系１９は、表示すべき画像の１走査線ごとに、レーザ光を水平方向に水平走査（１次走査の一例）する光学系である。また、水平走査系１９は、レーザ光を水平方向に走査するガルバノミラー１９ａと、そのガルバノミラー１９ａの駆動制御を行う水平走査制御回路１９ｃとを備えている。
【００３４】
これに対し、垂直走査系２１は、表示すべき画像の１フレームごとに、レーザ光を最初の走査線から最後の走査線に向かって垂直に垂直走査（２次走査の一例）する光学系である。また、垂直走査系２１は、垂直走査するガルバノミラー２１ａと、そのガルバノミラー２１ａの駆動制御を行う垂直走査制御回路２１ｃとを備えている。
【００３５】
水平走査系１９は、垂直走査系２１より高速にすなわち高周波数でレーザ光を走査するように設計されている。また、水平走査系１９，垂直走査系２１は、図１に示すように、各々映像信号供給回路３に接続され、映像信号供給回路３より出力される水平同期信号５，垂直同期信号６にそれぞれ同期してレーザ光を走査するように構成されている。
【００３６】
尚、本実施形態における水平走査系１９及び垂直走査系２１などは、入射した光束を、第一の走査方向及びその方向に略垂直な第二の走査方向に走査させることによって、フレームを形成する光走査装置の一例である。また、本実施形態における水平走査系１９は、入射される光束を水平方向（第一の走査方向）に走査させる第一走査部の一例に相当し、本実施形態における垂直走査系２１は、その水平方向に走査された光束を、水平方向と直交する垂直方向（第二の走査方向）に走査させる第二走査部の一例に相当する。また、本実施形態における水平走査系１９、垂直走査系２１は、第一走査部と第二走査部とを含む構成であり、光源からの光を所定の走査方向に走査する走査部の一例に相当する。
【００３７】
次に、本発明の一実施形態の網膜走査型ディスプレイ１が、外部からの映像信号を受けてから、ユーザの網膜上に映像を投影するまでの過程について図１を用いて説明する。
【００３８】
図１に示すように、本実施形態の網膜走査型ディスプレイ１では、光源ユニット部２に設けられた映像信号供給回路３が外部からの映像信号の供給を受けると、映像信号供給回路３は、赤，緑，青の各色のレーザ光を出力させるためのＲ映像信号，Ｇ映像信号，Ｂ映像信号からなる映像信号４と、水平同期信号５と、垂直同期信号６とを出力する。Ｒレーザドライバ１０，Ｇレーザドライバ９，Ｂレーザドライバ８は各々入力されたＲ映像信号，Ｇ映像信号，Ｂ映像信号に基づいてＲレーザ１３，Ｇレーザ１２，Ｂレーザ１１に対してそれぞれの駆動信号を出力する。この駆動信号に基づいて、Ｒレーザ１３，Ｇレーザ１２，Ｂレーザ１１はそれぞれ強度変調されたレーザ光を発生し、各々をコリメート光学系１４に出力する。また、映像信号供給回路３は、後述するガルバノミラー１９ａの駆動状態を示すＢＤ信号（図示せず）に応じて、レーザ光を発生し、各々をコリメート光学系１４に出力するタイミングを制御する。つまり、このような網膜走査型ディスプレイ１において、映像信号供給回路３は、ガルバノミラー１９ａなどに光束を出射させるタイミングを制御することとなる。点光源から発生されるレーザ光は、このコリメート光学系１４によってそれぞれが平行光にコリメートされ、さらに、ダイクロイックミラー１５に入射されて１つの光束となるよう合成された後、結合光学系１６によって光ファイバ１７に入射されるよう導かれる。
【００３９】
光ファイバ１７によって伝搬されたレーザ光は、光ファイバ１７からコリメート光学系１８によって平行光にコリメートされて水平走査系１９に出射される。この出射されたレーザ光は、水平走査系１９のガルバノミラー１９ａの偏向面１９ｂに入射される。ガルバノミラー１９ａの偏向面１９ｂに入射したレーザ光は水平同期信号に同期して水平方向に走査されて第１リレー光学系２０を介し、垂直走査系２１のガルバノミラー２１ａの偏向面２１ｂに入射する。ガルバノミラー２１ａは、ガルバノミラー１９ａが水平同期信号に同期することと同様に垂直同期信号６に同期して、その偏向面２１ｂが入射光を垂直方向に反射するように往復振動をしており、このガルバノミラー２１ａによってレーザ光は垂直方向に走査される。ガルバノミラー２１ａによって走査されたレーザ光は、回折格子１００によって所定方向に分散された後に、第２リレー光学系２２を介して、ユーザの瞳孔２４に入射する。これによって、ユーザはこのように２次元走査されて網膜上に投影されたレーザ光による画像を認識することができる。つまり、この網膜走査型ディスプレイ１は、画像に関する画像信号に応じて変調された光を走査して出射することで、ユーザの少なくとも一方の眼の網膜に画像を投影し、画像を表示する。尚、水平走査系１９のガルバノミラー１９ａと、垂直走査系２１のガルバノミラー２１ａとは、名称を同じように説明したが、光を走査するように其の反射面が揺動（回転）させられるものであれば、共振タイプ、非共振タイプ等、圧電駆動、電磁駆動、静電駆動等いずれの駆動方法、駆動方式によるものであってもよいことは言うまでもない。
【００４０】
また、映像信号供給回路３は、位置検知センサ３０からの信号に応じて、網膜走査型ディスプレイ１の電源をオンオフする制御を行う。詳しくは後述するが、位置検知センサ３０は、網膜走査型ディスプレイ１の外部に配置されており、眼鏡の蔓における位置を検知するセンサである。この映像信号供給回路３は、網膜走査型ディスプレイ１が眼鏡の蔓部の前方位置までスライドされた場合には、その電源をオンとし、網膜走査型ディスプレイ１が眼鏡の蔓の後方位置までスライドされた場合には、その電源をオフとする制御を行うこととなる。従って、電源のオン操作、オフ操作を別に行わなくても、網膜走査型ディスプレイ１の位置によって電源がオン、オフされることとなり、簡便である。また、網膜走査型ディスプレイ１が後方位置にある場合は使用できる状態ではないため、消費電力も低減させることができる。
【００４１】
［網膜走査型ディスプレイ等の構造］
上述した網膜走査型ディスプレイ１等の構造について図２及び図３を用いて以下に説明する。図２（ａ）、図２（ｃ）、図２（ｄ）は、網膜走査型ディスプレイ１と眼鏡５０とを示す上方からの外観図であり、図２（ｂ）は、網膜走査型ディスプレイ１と眼鏡５０とを示す後方からの外観図である。
【００４２】
図２に示すように、網膜走査型ディスプレイ１は、眼鏡５０の蔓部５１に装着される。
【００４３】
網膜走査型ディスプレイ１は、本体部４０と、出射部４１と、反射ミラー４６とを含む構成である。また、網膜走査型ディスプレイ１は、眼鏡５０の蔓部５１内側に設けられており、画像信号に応じて画像光をユーザの眼に向かって出射することとなる。また、これら本体部４０と出射部４１は、詳しくは後述するが、眼鏡５０の蔓部５１に沿って前後方向にスライド可能に装着される。
【００４４】
この本体部４０には、図２（ｂ）に示すように、眼鏡５０の蔓部５１を挿入可能にする溝部４０ａが形成されている。この溝部４０が蔓部５１に当接することによって、網膜走査型ディスプレイ１が蔓部５１に沿って前後方向にスライド可能である。このように、網膜走査型ディスプレイ１には、眼鏡５０の蔓部５１に沿って前後方向にスライド可能なスライド機構が設けられている。
【００４５】
また、溝部４０ａには、位置検知センサ３０が配置されている。この位置検知センサ３０は、蔓部５１に形成された検知部を検知することによって、網膜走査型ディスプレイ１が蔓部５１における前方位置に配置されること、後方位置に配置されることを検知可能である。これによって、上述した映像信号供給回路３は、網膜走査型ディスプレイ１が眼鏡５０の蔓部５１の前方位置までスライドされたこと、後方位置までスライドされたことを認識可能となり、前方位置までスライドされた場合には、その電源をオンとし、後方位置までスライドされた場合には、その電源をオフとする制御を行うこととなる。従って、電源のオン操作、オフ操作を別に行わなくても、網膜走査型ディスプレイ１の位置によって電源がオン、オフされることとなり、簡便である。また、網膜走査型ディスプレイ１が後方位置にある場合は使用できる状態ではないため、消費電力も低減させることができる。
【００４６】
また、出射部４１は、図２（ａ）に示すように、眼鏡５０の蔓部５１の内側に向かって光を出射するように配置されている。また、この出射部４１は、眼鏡５０の蔓部５１内側に向かって突形状の突起部であり、詳しくは後述するが、眼鏡５０の蔓部５１を折りたたんだときに、眼鏡５０のレンズ５２に当接しないように設計されている。
【００４７】
反射ミラー４６は、図２（ａ）に示すように、出射部４１からの画像光をユーザの瞳孔２４に向かって反射させるミラーである。この反射ミラー４６は、本体部４０や出射部４１とは別体で眼鏡５０のレンズ５２に固定される。このように反射ミラー４６（反射部）を配置することによって、ユーザの眼までの光路を十分に取ることができる。また、反射ミラー４６は、外界からの光を透過するため、ユーザに前方の視界を与えるとともに、網膜走査型ディスプレイ１によって出射された光を視認可能となる。
【００４８】
蔓部５１は、レンズ５２の側方に位置するヨロイ５１ａと、ヨロイ５１ａと連結されているテンプル５１ｂと、テンプル５１ｂと一体に形成されたモダン５１ｃとを含む構成である。また、ヨロイ５１ａやテンプル５１ｂには、スライド可能にするためのスライド部が形成されている。また、ヨロイ５１ａ及びテンプル５１ｂは、モダン５１ｃよりも剛性が高い。また、このヨロイ５１ａやテンプル５１ｂは、上述した網膜走査型ディスプレイ１を保持する箇所となるため、網膜走査型ディスプレイ１を使用している場合において、振動等に強く、その固定を容易に行うことができる。
【００４９】
また、このような構成において、眼鏡５０の蔓部５１を折りたたむ場合には、図２（ｃ）に示すように、網膜走査型ディスプレイ１を、眼鏡５０の蔓部５１に沿って後方位置にスライドさせる。そして、網膜走査型ディスプレイ１を後方位置までスライドさせた場合には、眼鏡５０の蔓部５１を折りたたみ可能な状態となり、図２（ｄ）に示すように、眼鏡５０の蔓部５１を折りたたむ。この場合においては、眼鏡５０の蔓部５１の内側に向かって突形状である出射部４１がレンズに当接することなく、眼鏡５０の蔓部５１を折りたたむことが可能となる。
【００５０】
このように、網膜走査型ディスプレイ１は、図２（ａ）に示すように、蔓部５１における前方位置に配置されているときに、画像光をユーザの眼に向かって出射する画像表示状態となり、図２（ｃ）に示すように、蔓部５１における後方位置に配置されているときに、蔓部５１とともに回転され、折りたたみ可能とした蔓部収納可能状態となる。
【００５１】
従って、眼鏡５０の蔓部５１を折りたたむ場合に、網膜走査型ディスプレイ１が、その蔓部５１とともに回転され、蔓部５１とレンズ５２との間に収納されることとなり、眼鏡５０から取り外す必要もなく、更には、眼鏡５０の外側に出っ張ることがなく、眼鏡５０の蔓部５１が折りたたまれた場合であっても網膜走査型ディスプレイ１の収納性に優れており、簡便である。
【００５２】
また、蔓部５１は、その前方位置が、後方位置よりも剛性が高くなっており、網膜走査型ディスプレイ１がその前方位置に配置されるときに画像光を出射させることとなる。従って、出射装置を使用している場合において、振動等に強く、出射装置の固定を容易に行うことができる。
【００５３】
また、図３に示すように、本体部４０の溝部４０ａや眼鏡５０の蔓部５１には、上述したスライド機構とは別に、網膜走査型ディスプレイ１の位置の微調整が可能な位置微調整機構が設けられている。この位置微調整機構は、本体部４０における突起部４０ｂと、眼鏡５０の蔓部５１における嵌合部５１ｄとから構成される。
【００５４】
突起部４０ｂは、本体部４０の溝部４０ａから突出するように配置されている。この突起部４０ｂは、嵌合部５１ｄと嵌合し、網膜走査型ディスプレイ１を固定させる。
【００５５】
また、嵌合部５１ｄは、眼鏡５０の蔓部５１表面に形成されている。この嵌合部５１ｄは、複数の受け部が形成されている。この受け部は、上述した本体部４０に形成された突起部４０ｂを嵌合するためのものである。このように、複数の受け部のうちいずれに突起部４０ｄが嵌合するかによって、網膜走査型ディスプレイ１の位置を微調整できる。このように、位置微調整機構は、スライド機構とは別で、眼鏡５０の蔓部５１において前後方向にスライド可能である。従って、微調整が可能となり、簡便であり、精度の高い出射装置の配置が可能となる。
【００５６】
また、本体部４０の溝部４０ａには、蔓部５１に沿った位置にストッパ４０ｃが形成されている。このストッパ４０ｃは、上述した突起部４０ｂとともに、網膜走査型ディスプレイ１の位置に応じて、蔓部５１の折りたたみを不可能とする。網膜走査型ディスプレイ１が前方位置に配置されている場合には、突起部４０ｄ及びストッパ４０ｃがヨロイ５１ａと当接するとともに、溝部４０ａの壁面がテンプル５１ｂと当接し、テンプル５１ｂ、モダン５１ｃを内側に折りたたむことが不可能である。一方、網膜走査型ディスプレイ１が後方位置に配置されている場合には、突起部４０ｄ及びストッパ４０ｃ、溝部４０ａの壁面がテンプル５１ｂと当接し、テンプル５１ｂ、モダン５１ｃを内側に折りたたむことが可能となる。
【００５７】
つまり、網膜走査型ディスプレイ１（出射装置）が後方位置までスライドされていない場合に蔓部５１の折りたたみを不可能とし、網膜走査型ディスプレイ１が後方位置までスライドされている場合に蔓部５１の折りたたみを可能とするストッパ４０ｃが網膜走査型ディスプレイ１に設けられている。従って、出射装置を後方位置までスライドさせずに眼鏡の折りたたみを行うことができず、誤操作を防止することができる。また、蔓部５１に沿った位置にストッパ４０ｃが形成されているため、蔓部の撓みを防止することができる。
【００５８】
また、網膜走査型ディスプレイ１が後方位置までスライドさせた場合に、蔓部５１が収納可能となり、収納された場合には突起部としての出射部４１がレンズに当接することない。言い換えると、網膜走査型ディスプレイ１は、蔓部５１を折りたたむ場合に出射部４１が眼鏡５０のレンズ５２に衝突しない後方位置に配置されているときに、蔓部５１を収納可能な蔓部収納可能状態となる。従って、突起部がある場合でも、その突起部がレンズに衝突することがないため、レンズや出射装置を傷つけるおそれもなく、更には、蔓部を容易に折りたたむことができる。
【００５９】
尚、上述した実施形態においては、ヨロイ５１ａとテンプル５１ｂとの間で蔓部５１を折りたたみ可能な眼鏡５０に網膜走査型ディスプレイ１を装着可能としたが、これに限らず、例えば、複数のヨロイを形成し、それらの間や、一つのヨロイとテンプル５１ｂとの間で蔓部５１を複数段階に折りたたみ可能とした眼鏡に網膜走査型ディスプレイ１を装着可能としてもよい。具体的な一例としては、図４に示すように、眼鏡７０における蔓部７１は、第一ヨロイ７１ａ、第二ヨロイ７１ｂ、テンプル７１ｃを含む構成である。第一ヨロイ７１ａは、第二ヨロイ７１ｂと連結されている。また、第二ヨロイ７１ｂは、テンプル７１ｃと連結されている。そして、それら連結された箇所で折りたたみが可能である。このような眼鏡７０に網膜走査型ディスプレイ１を装着することによって、突起部としての出射部４１がレンズ７２に衝突することを防止することができる。また、第一ヨロイ７１ａには、突起部が形成されており、装着時において第二ヨロイ７１ｂに固定されることとなる。このようにヨロイを複数段階に分割することによって、テンプルでなくてもヨロイに本体部を固定させることが容易となる。これは、テンプルが人の顔の幅によって位置が変わり、画像光の出射に影響を与えるおそれがあり、調節を要するためである。
【００６０】
また、上述した実施形態においては、網膜走査型ディスプレイ１（出射装置）のスライドと、蔓部５１の折りたたみが連動しないが、これに限らず、例えば、網膜走査型ディスプレイ１（出射装置）のスライドに連動して蔓部５１を折りたたむような構成としてもよい。これによって、網膜走査型ディスプレイ１のスライド操作が行われると、自動的に蔓部５１が折りたたまれ簡便である。具体的な一例としては、図５に示すように、本体部４０にゴム部材５５などの弾性部材が取り付けられた構成である。図５（ａ）に示すように、蔓部５１を折りたたんだ状態から開いた状態とすると、網膜走査型ディスプレイ１が前方に付勢され、図５（ｂ）に示すように、網膜走査型ディスプレイ１が前方位置に配置される。また、図５（ｂ）に示す状態から、図５（ａ）に示す状態とすることによって、蔓部５１が折りたたみ可能な状態となり、ゴム部材５５により内方に付勢され、折りたたまれることとなる。このように、連動機構としてのゴム部材５５は、網膜走査型ディスプレイ１のスライドに連動して蔓部５１を折りたたむことができる。なお、ゴム部材５５は、バネ部材などの弾性のある他の部材で構成してもよい。
【００６１】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【図面の簡単な説明】
【００６２】
【図１】本実施形態における網膜走査型ディスプレイの電気的構成を示す説明図である。
【図２】本実施形態における網膜走査型ディスプレイにおける構成を示す外観図である。
【図３】本実施形態における網膜走査型ディスプレイにおける構成を示す外観図である。
【図４】本実施形態における網膜走査型ディスプレイにおける構成を示す外観図である。
【図５】本実施形態における網膜走査型ディスプレイにおける構成を示す外観図である。
【符号の説明】
【００６３】
１  網膜走査型ディスプレイ
１９  水平走査系
２１  垂直走査系
４０  本体部
４１  出射部
５０，７０  眼鏡
５１，７１  蔓部
【図１】
2009246891.tif 000003
【図２】
2009246891.tif 000004
【図３】
2009246891.tif 000005
【図４】
2009246891.tif 000006
【図５】
2009246891.tif 000007